(57)【要約】      （修正有）【課題】ＶｏＩＰパケットが消失しても、音声品質の低下を抑制することができるＩＰ電話機，インターネットファックス等のＩＰ端末装置を提供する。【解決手段】音声信号データを含む順序番号情報付きのＶｏＩＰパケットを受信するＶｏＩＰパケット受信手段と、前記ＶｏＩＰパケット受信手段が受信したＶｏＩＰパケットの所定数分を蓄積しておくＶｏＩＰパケット蓄積手段と、前記ＶｏＩＰパケット受信手段が、Ｎ番目のＶｏＩＰパケットを受信した場合において、Ｎ＋１番目のＶｏＩＰパケットを受信できないときは、受信したＶｏＩＰパケットのうちの１つを、前記Ｎ＋１番目のＶｏＩＰパケットの代わりに使用するパケットリカバリー手段とを備えた。【選択図】図１
2008048435.tif 000002
【特許請求の範囲】
【請求項１】
音声信号データを含む順序番号情報付きのＶｏＩＰパケットを受信するＶｏＩＰパケット受信手段と、
前記ＶｏＩＰパケット受信手段が受信したＶｏＩＰパケットの所定数分を蓄積しておくＶｏＩＰパケット蓄積手段と、
前記ＶｏＩＰパケット受信手段が、Ｎ番目のＶｏＩＰパケットを受信した場合において、Ｎ＋１番目のＶｏＩＰパケットを受信できないときは、受信したＶｏＩＰパケットのうちの１つを、前記Ｎ＋１番目のＶｏＩＰパケットの代わりに使用するパケットリカバリー手段と、
を備えたことを特徴とするＩＰ端末装置。
【請求項２】
音声信号データを含む順序番号情報付きのＶｏＩＰパケットを受信するＶｏＩＰパケット受信手段と、
前記ＶｏＩＰパケット受信手段が受信したＶｏＩＰパケットの所定数分を蓄積しておくＶｏＩＰパケット蓄積手段と、
前記ＶｏＩＰパケット受信手段が、Ｎ番目のＶｏＩＰパケットを受信した場合において、
Ｎ＋１番目のＶｏＩＰパケットを受信できないときは、前記Ｎ番目のＶｏＩＰパケットを前記Ｎ＋１番目のＶｏＩＰパケットの代わりに使用するパケットリカバリー手段と、
を備えたことを特徴とするＩＰ端末装置。
【請求項３】
音声信号データを含む順序番号情報付きのＶｏＩＰパケットを受信するＶｏＩＰパケット受信手段と、
前記ＶｏＩＰパケット受信手段が受信したＶｏＩＰパケットの所定数分を蓄積しておくＶｏＩＰパケット蓄積手段と、
前記ＶｏＩＰパケット受信手段が、Ｎ番目およびＮ＋２番目のＶｏＩＰパケットを受信した場合において、Ｎ＋１番目のＶｏＩＰパケットを受信できないときは、前記Ｎ＋２番目のＶｏＩＰパケットを前記Ｎ＋１番目のＶｏＩＰパケットの代わりに使用するパケットリカバリー手段と、
を備えたことを特徴とするＩＰ端末装置。
【請求項４】
前記パケットリカバリー手段は、受信ができない前記Ｎ＋１番目のＶｏＩＰパケットの代わりに使用するＶｏＩＰパケットの順序番号を、元の順序番号からＮ＋１に変更することを特徴とする請求項１から３の何れかに記載のＩＰ端末装置。
【請求項５】
前記パケットリカバリー手段は、受信ができない前記Ｎ＋１番目のＶｏＩＰパケットの代わりに使用するＶｏＩＰパケットを複製し、当該複製したＶｏＩＰパケットの順序番号をＮ＋１に設定することを特徴とする請求項１から３の何れかに記載のＩＰ端末装置。
【請求項６】
音声信号データを含む順序番号情報付きのＶｏＩＰパケットを受信するＶｏＩＰパケット受信手段と、
前記ＶｏＩＰパケット受信手段が受信したＶｏＩＰパケットの所定数分を蓄積しておくＶｏＩＰパケット蓄積手段と、
前記ＶｏＩＰパケット受信手段が、Ｎ番目のＶｏＩＰパケットを受信した場合において、Ｎ＋１番目のＶｏＩＰパケットを受信できないときは、既に受信したＶｏＩＰパケットを基にＶｏＩＰパケットを生成し、当該生成したＶｏＩＰパケットを前記Ｎ＋１番目のＶｏＩＰパケットの代わりに使用するリカバリーパケット生成手段と、
を備えたことを特徴とするＩＰ端末装置。
【請求項７】
前記リカバリーパケット生成手段は、受信ができない前記Ｎ＋１番目のＶｏＩＰパケットの直前、直後のＶｏＩＰパケットの音声信号データを比較し、前記直前、直後のＶｏＩＰパケットの音声信号データの所定の差分が所定のしきい値を超えないときは、前記Ｎ＋１番目の直前、直後のＩＰパケットのうち何れかのＶｏＩＰパケットを基にＶｏＩＰパケットを生成し、前記直前、直後のＶｏＩＰパケットの音声信号データの所定の差分が所定のしきい値を超えたときは、前記Ｎ＋１番目の直後のＶｏＩＰパケットを基にＶｏＩＰパケットを生成し、当該生成したＶｏＩＰパケットを前記Ｎ＋１番目のＶｏＩＰパケットの代わりに使用することを特徴とする請求項６のＩＰ端末装置。
【請求項８】
音声信号データを含む順序番号情報付きのＶｏＩＰパケットを受信するＶｏＩＰパケット受信手段と、
前記ＶｏＩＰパケット受信手段が受信したＶｏＩＰパケットの所定数分を蓄積しておくＶｏＩＰパケット蓄積手段と、
前記ＶｏＩＰパケット受信手段が、Ｎ番目のＶｏＩＰパケットを受信した場合において、Ｎ＋１番目のＶｏＩＰパケットを受信できないときは、前記Ｎ番目のＶｏＩＰパケットを基にＶｏＩＰパケットを生成し、当該生成したＶｏＩＰパケットを前記Ｎ＋１番目のＶｏＩＰパケットの代わりに使用するパケット生成手段を備えたことを特徴とするＩＰ端末装置。
【請求項９】
音声信号データを含む順序番号情報付きのＶｏＩＰパケットを受信するＶｏＩＰパケット受信手段と、
前記ＶｏＩＰパケット受信手段が受信したＶｏＩＰパケットの所定数分を蓄積しておくＶｏＩＰパケット蓄積手段と、
前記ＶｏＩＰパケット受信手段が、Ｎ番目およびＮ＋２番目のＶｏＩＰパケットを受信した場合において、Ｎ＋１番目のＶｏＩＰパケットを受信できないときは、前記Ｎ＋２番目のＶｏＩＰパケットを基にＶｏＩＰパケットを生成し、当該生成したＶｏＩＰパケットを前記Ｎ＋１番目のＶｏＩＰパケットの代わりに使用するパケット生成手段を備えたことを特徴とするＩＰ端末装置。
【請求項１０】
前記パケットリカバリー手段は、受信できなかった前記Ｎ＋１番目のＶｏＩＰパケットの代わりのパケットが使用される前に前記Ｎ＋１番目のＶｏＩＰパケットを受信したときは、代わりのパケットを使用せずに、前記受信した前記Ｎ＋１番目のＶｏＩＰパケットを使用することを特徴とする請求項１から５の何れかに記載のＩＰ端末装置。
【請求項１１】
前記リカバリーパケット生成手段は、受信できなかった前記Ｎ＋１番目のＶｏＩＰパケットの代わりのパケットを生成している間、または受信できなかった前記Ｎ＋１番目のＶｏＩＰパケットの代わりのパケットを生成している後であってパケットが使用される前に前記Ｎ＋１番目のＶｏＩＰパケットを受信したときは、代わりのパケットを使用せずに、前記受信した前記Ｎ＋１番目のＶｏＩＰパケットを使用することを特徴とする請求項６または７に記載のＩＰ端末装置。
【請求項１２】
前記パケット生成手段は、受信できなかった前記Ｎ＋１番目のＶｏＩＰパケットの代わりのパケットを生成している間、または受信できなかった前記Ｎ＋１番目のＶｏＩＰパケットの代わりのパケットを生成している後であってパケットが使用される前に前記Ｎ＋１番目のＶｏＩＰパケットを受信したときは、代わりのパケットを使用せずに、前記受信した前記Ｎ＋１番目のＶｏＩＰパケットを使用することを特徴とする請求項８または９に記載のＩＰ端末装置。
【請求項１３】
順序番号情報に基づいてＶｏＩＰパケットの音声信号データを音声帯域の信号に再生する音声再生手段を備えたことを特徴とする請求項１から１２の何れかに記載のＩＰ端末装置。
【請求項１４】
ＩＰ電話機であることを特徴とする請求項１から１３の何れかに記載のＩＰ端末装置。
【発明の詳細な説明】
【技術分野】
【０００１】
本発明は、ＶｏＩＰパケットが消失しても、音声品質の低下を抑制することができるＩＰ電話機，インターネットファックス等のＩＰ端末装置に関する。
【背景技術】
【０００２】
近年、データ伝送媒体としてＡＤＳＬ（ａｓｙｍｍｅｔｒｉｃ ｄｉｇｉｔａｌｓｕｂｓｃｒｉｂｅｒ ｌｉｎｅ）等のｘＤＳＬ（ｘ Ｄｉｇｉｔａｌ ＳｕｂｓｃｒｉｂｅｒＬｉｎｅ）を使用したＩＰ電話（電話をかける相手との間の通信経路を、 ＨＹＰＥＲＬＩＮＫ ”ｈｔｔｐ：／／ｅ−ｗｏｒｄｓ．ｊｐ／ｗ／ＩＰ．ｈｔｍｌ” ＩＰプロトコルベースで構築した電話ネットワークを利用した電話）が普及している。
【０００３】
上記のＩＰ電話は、典型的にはＶｏＩＰ（Ｖｏｉｃｅ ｏｖｅｒ ＩＰ）技術を利用してデジタルで通話を実現するものであるが、この種のＩＰ（インターネットプロトコル）を利用した電話では、通常、各端末は公衆回線、インターネットサービスプロバイダを介してインターネットに接続される。
【特許文献１】特開２００２−１２４９４９号公報
【発明の開示】
【発明が解決しようとする課題】
【０００４】
ＩＰ電話機の問題点の１つとして、パケットの消失による通話品質の劣化がある。従来は、パケットが消失してもそのまま音声を再生していたので、通話品質が極端に劣化する場合がある。最近ではＩＰ網が整備されてはきているが、回線品質が良いとは言えない場合も少なくない。またコストの面からも、低下価格、低品質のインターネット網を使用したいという要請もあるため、回線品質が保証されない回線網であっても、ある程度の通話品質を保証する必要がある。
【０００５】
本発明は、上記課題を解決するために提案されたもので、ＶｏＩＰパケットが消失しても、音声品質の低下を抑制することができるＩＰ端末装置を提供することを目的とする。
【課題を解決するための手段】
【０００６】
本発明者は、ある期間でサンプリングされた音声データにかかるパケットが、消失（損失）しても、その前後のパケットは当該消失したパケットに類似する確率が高いので、このパケットを用いれば音声品質の低下を抑えることができるとの知見を得て本発明をなすに至った。
【０００７】
すなわち、本発明の第１態様のＩＰ端末装置は、音声信号データを含む順序番号情報付きのＶｏＩＰパケットを受信するＶｏＩＰパケット受信手段と、前記ＶｏＩＰパケット受信手段が受信したＶｏＩＰパケットの所定数分を蓄積しておくＶｏＩＰパケット蓄積手段と、前記ＶｏＩＰパケット受信手段が、Ｎ番目のＶｏＩＰパケットを受信した場合において、Ｎ＋１番目のＶｏＩＰパケットを受信できないときは、受信したＶｏＩＰパケットのうちの１つを、前記Ｎ＋１番目のＶｏＩＰパケットの代わりに使用するパケットリカバリー手段とを備えたことを特徴とする。この発明では、パケットの消失による通話品質の劣化を防ぐことができる。
【０００８】
本発明の第１態様のＩＰ端末装置は、音声信号データを含む順序番号情報付きのＶｏＩＰパケットを受信するＶｏＩＰパケット受信手段と、前記ＶｏＩＰパケット受信手段が受信したＶｏＩＰパケットの所定数分を蓄積しておくＶｏＩＰパケット蓄積手段と、前記ＶｏＩＰパケット受信手段が、Ｎ番目のＶｏＩＰパケットを受信した場合において、Ｎ＋１番目のＶｏＩＰパケットを受信できないときは、前記Ｎ番目のＶｏＩＰパケットを前記Ｎ＋１番目のＶｏＩＰパケットの代わりに使用するパケットリカバリー手段とを備えたことを特徴とする。本発明の第１態様のＩＰ端末装置では、消失したパケットにかかる音声データがその前の音声データと類似性があるので、その直前の音声データを使用することによりパケットの消失による通話品質の劣化を防ぐことができる。
【０００９】
本発明の第１態様のＩＰ端末装置は、音声信号データを含む順序番号情報付きのＶｏＩＰパケットを受信するＶｏＩＰパケット受信手段と、前記ＶｏＩＰパケット受信手段が受信したＶｏＩＰパケットの所定数分を蓄積しておくＶｏＩＰパケット蓄積手段と、前記ＶｏＩＰパケット受信手段が、Ｎ番目およびＮ＋２番目のＶｏＩＰパケットを受信した場合において、Ｎ＋１番目のＶｏＩＰパケットを受信できないときは、前記Ｎ＋２番目のＶｏＩＰパケットを前記Ｎ＋１番目のＶｏＩＰパケットの代わりに使用するパケットリカバリー手段とを備えたことをも特徴とする。この発明では、会話等の音声データがその後の音声データと類似性があるので、その直後の音声データを使用することによりパケットの消失による通話品質の劣化を防ぐことができる。
【００１０】
本発明の第１態様のＩＰ端末装置では、パケットリカバリー手段は、受信ができない前記Ｎ＋１番目のＶｏＩＰパケットの代わりに使用するＶｏＩＰパケットの順序番号を、元の順序番号からＮ＋１に変更することができる。この場合には、順序番号を変更するのみなので、高速にデータを用意することができる。また、本発明の第１態様のＩＰ端末装置では、前記パケットリカバリー手段は、受信ができない前記Ｎ＋１番目のＶｏＩＰパケットの代わりに使用するＶｏＩＰパケットを複製し、当該複製したＶｏＩＰパケットの順序番号をＮ＋１に設定することもできる。この場合はＶｏＩＰパケットの複製を行うので、元のデータを別の用途に、しかも並行処理で使用することができる。
【００１１】
本発明の第２態様のＩＰ端末装置は、音声信号データを含む順序番号情報付きのＶｏＩＰパケットを受信するＶｏＩＰパケット受信手段と、前記ＶｏＩＰパケット受信手段が受信したＶｏＩＰパケットの所定数分を蓄積しておくＶｏＩＰパケット蓄積手段と、前記ＶｏＩＰパケット受信手段が、Ｎ番目のＶｏＩＰパケットを受信した場合において、Ｎ＋１番目のＶｏＩＰパケットを受信できないときは、既に受信したＶｏＩＰパケットを基にＶｏＩＰパケットを生成し、当該生成したＶｏＩＰパケットを前記Ｎ＋１番目のＶｏＩＰパケットの代わりに使用するリカバリーパケット生成手段とを備えたことを特徴とする。本発明の第２態様のＩＰ端末装置でも、パケットの消失による通話品質の劣化を防ぐことができる。
【００１２】
本発明の第２態様のＩＰ端末装置では、前記リカバリーパケット生成手段は、受信ができない前記Ｎ＋１番目のＶｏＩＰパケットの直前、直後のＶｏＩＰパケットの音声信号データを比較し、前記直前、直後のＶｏＩＰパケットの音声信号データの所定の差分が所定のしきい値を超えないときは、前記Ｎ＋１番目の直前、直後のＩＰパケットのうち何れかのＶｏＩＰパケットを基にＶｏＩＰパケットを生成し、前記直前、直後のＶｏＩＰパケットの音声信号データの所定の差分が所定のしきい値を超えたときは、前記Ｎ＋１番目の直後のＶｏＩＰパケットを基にＶｏＩＰパケットを生成し、当該生成したＶｏＩＰパケットを前記Ｎ＋１番目のＶｏＩＰパケットの代わりに使用することができる。
【００１３】
本発明の第３態様のＩＰ端末装置は、音声信号データを含む順序番号情報付きのＶｏＩＰパケットを受信するＶｏＩＰパケット受信手段と、前記ＶｏＩＰパケット受信手段が受信したＶｏＩＰパケットの所定数分を蓄積しておくＶｏＩＰパケット蓄積手段と、前記ＶｏＩＰパケット受信手段が、Ｎ番目のＶｏＩＰパケットを受信した場合において、Ｎ＋１番目のＶｏＩＰパケットを受信できないときは、前記Ｎ番目のＶｏＩＰパケットを基にＶｏＩＰパケットを生成し、当該生成したＶｏＩＰパケットを前記Ｎ＋１番目のＶｏＩＰパケットの代わりに使用するパケット生成手段を備えたことを特徴とする。本発明の第３態様のＩＰ端末装置会話等の音声データは、その前の音声データと類似性があるので、その直前の音声データを基に代わりのデータを作成している。これにより、ＶｏＩＰパケットの消失による通話品質の劣化を防ぐことができる。
【００１４】
本発明の第３態様のＩＰ端末装置は、音声信号データを含む順序番号情報付きのＶｏＩＰパケットを受信するＶｏＩＰパケット受信手段と、前記ＶｏＩＰパケット受信手段が受信したＶｏＩＰパケットの所定数分を蓄積しておくＶｏＩＰパケット蓄積手段と、前記ＶｏＩＰパケット受信手段が、Ｎ番目およびＮ＋２番目のＶｏＩＰパケットを受信した場合において、Ｎ＋１番目のＶｏＩＰパケットを受信できないときは、前記Ｎ＋２番目のＶｏＩＰパケットを基にＶｏＩＰパケットを生成し、当該生成したＶｏＩＰパケットを前記Ｎ＋１番目のＶｏＩＰパケットの代わりに使用するパケット生成手段を備えたことをも特徴とする。この発明では、会話等の音声データがその後の音声データと類似性があるので、その直後の音声データを基に代わりのデータを作成することでパケットの消失による通話品質の劣化を防ぐことができる。
【００１５】
本発明の第１態様のＩＰ端末装置では、前記パケットリカバリー手段は、受信できなかった前記Ｎ＋１番目のＶｏＩＰパケットの代わりのパケットが使用される前（交換が不可能となる前）に前記Ｎ＋１番目のＶｏＩＰパケットを受信したときは、代わりのパケットを使用せずに、前記受信した前記Ｎ＋１番目のＶｏＩＰパケットを使用することができる。これにより、パケットを代用することによる通話品質の劣化を防ぐことができる。
【００１６】
本発明の第２態様のＩＰ端末装置では、前記リカバリーパケット生成手段は、受信できなかった前記Ｎ＋１番目のＶｏＩＰパケットの代わりのパケットを生成している間、または受信できなかった前記Ｎ＋１番目のＶｏＩＰパケットの代わりのパケットを生成している後であってパケットが使用される前（交換が不可能となる前）に前記Ｎ＋１番目のＶｏＩＰパケットを受信したときは、代わりのパケットを使用せずに、前記受信した前記Ｎ＋１番目のＶｏＩＰパケットを使用することができる。これにより、パケットを代用することによる通話品質の劣化を防ぐことができる。
【００１７】
本発明の第３態様のＩＰ端末装置では、前記パケット生成手段は、受信できなかった前記Ｎ＋１番目のＶｏＩＰパケットの代わりのパケットを生成している間、または受信できなかった前記Ｎ＋１番目のＶｏＩＰパケットの代わりのパケットを生成している後であってパケットが使用される前（交換が不可能となる前）に前記Ｎ＋１番目のＶｏＩＰパケットを受信したときは、代わりのパケットを使用せずに、前記受信した前記Ｎ＋１番目のＶｏＩＰパケットを使用することができる。この場合にもパケットを代用することによる通話品質の劣化を防ぐことができる。
【００１８】
本発明の第１態様から第３態様のＩＰ端末装置では、順序番号情報に基づいてＶｏＩＰパケットの音声信号データを音声帯域の信号に再生する音声再生手段を備えることができる。また、第１態様から第３態様のＩＰ端末装置は、ＩＰ電話機とすることができる。
【発明の効果】
【００１９】
従来は、パケットが消失してもそのまま音声を再生しており、通話品質が極端に劣化する場合があるが、本発明ではパケットが消失しても、既に受信したパケット、直前・直後のパケットを消失したパケットに代替し、あるいは既に受信したパケット、直前・直後のパケットに基づき消失したパケットを生成するので、音声品質の低下を抑制することができる。
【発明を実施するための最良の形態】
【００２０】
図１（Ａ），（Ｂ），（Ｃ）は本発明のＩＰ端末装置の基本構成を示す図である。
【００２１】
図１（Ａ）において、ＩＰ端末装置１Ａは、ＶｏＩＰパケット受信手段１１と、ＶｏＩＰパケット蓄積手段１２と、パケットリカバリー手段１３Ａと、音声再生手段１４とからなる。ＶｏＩＰパケット受信手段１１は、音声信号データを含む順序番号情報付きのＶｏＩＰパケットを受信し、ＶｏＩＰパケット蓄積手段１２は、受信したＶｏＩＰパケットを所定数分を蓄積する。
【００２２】
パケットリカバリー手段１３Ａは、（１）ＶｏＩＰパケット受信手段１１が、Ｎ番目のＶｏＩＰパケットを受信した場合において、Ｎ＋１番目のＶｏＩＰパケットを受信できないときは、受信したＶｏＩＰパケットのうちの１つを、Ｎ＋１番目のＶｏＩＰパケットの代わりに使用する、（２）ＶｏＩＰパケット受信手段１１が、Ｎ番目のＶｏＩＰパケットを受信した場合において、Ｎ＋１番目のＶｏＩＰパケットを受信できないときは、Ｎ番目のＶｏＩＰパケットをＮ＋１番目のＶｏＩＰパケットの代わりに使用する、（３）ＶｏＩＰパケット受信手段１１が、Ｎ番目およびＮ＋２番目のＶｏＩＰパケットを受信した場合において、Ｎ＋１番目のＶｏＩＰパケットを受信できないときは、Ｎ＋２番目のＶｏＩＰパケットをＮ＋１番目のＶｏＩＰパケットの代わりに使用する。
【００２３】
これにより、ある期間でサンプリングされた音声データにかかるパケットが、消失（損失）しても、その前後の類似すると考えられるパケットを用いるので、音声品質が低下するのを排除することができる。
【００２４】
音声再生手段１４は、順序番号情報に基づいてＶｏＩＰパケットの音声信号データを音声帯域の信号に再生する。
【００２５】
パケットリカバリー手段１３Ａは、受信ができないＮ＋１番目のＶｏＩＰパケットの代わりに使用するＶｏＩＰパケットの順序番号を、元の順序番号からＮ＋１に変更することができる。また、パケットリカバリー手段１３Ａは、受信ができないＮ＋１番目のＶｏＩＰパケットの代わりに使用するＶｏＩＰパケットを複製し、当該複製したＶｏＩＰパケットの順序番号をＮ＋１に設定するができる。
【００２６】
図１（Ｂ）において、ＩＰ端末装置１Ｂは、ＶｏＩＰパケット受信手段１１と、ＶｏＩＰパケット蓄積手段１２と、リカバリーパケット生成手段１３Ｂと、音声再生手段１４とからなる。ＶｏＩＰパケット受信手段１１は、音声信号データを含む順序番号情報付きのＶｏＩＰパケットを受信し、ＶｏＩＰパケット蓄積手段１２は、受信したＶｏＩＰパケットを所定数分を蓄積する。ＶｏＩＰパケット受信手段１１、ＶｏＩＰパケット蓄積手段１２、音声再生手段１４の構成は、図１（Ａ）のものと同じである。
【００２７】
リカバリーパケット生成手段１３Ｂは、ＶｏＩＰパケット受信手段１１、Ｎ番目のＶｏＩＰパケットを受信した場合において、Ｎ＋１番目のＶｏＩＰパケットを受信できないときは、既に受信したＶｏＩＰパケットを基にＶｏＩＰパケットを生成し、当該生成したＶｏＩＰパケットをＮ＋１番目のＶｏＩＰパケットの代わりに使用する。
【００２８】
リカバリーパケット生成手段１３Ｂは、受信ができないＮ＋１番目のＶｏＩＰパケットの直前、直後のＶｏＩＰパケットの音声信号データを比較し、これらの直前、直後のＶｏＩＰパケットの音声信号データの所定の差分が所定のしきい値を超えないときは、Ｎ＋１番目の直前、直後のＩＰパケットのうち何れかのＶｏＩＰパケットを基にＶｏＩＰパケットを生成し、前記直前、直後のＶｏＩＰパケットの音声信号データの所定の差分が所定のしきい値を超えたときは、Ｎ＋１番目の直後のＶｏＩＰパケットを基にＶｏＩＰパケットを生成し、この生成したＶｏＩＰパケットをＮ＋１番目のＶｏＩＰパケットの代わりに使用することができる。ここで、直前、直後のＶｏＩＰパケットとは、Ｎ番目、Ｎ＋２番目のＶｏＩＰパケットである。
【００２９】
この場合にも、ある期間でサンプリングされた音声データにかかるパケットが、消失（損失）しても、その直前、直後の類似すると考えられるパケットを用いるので、音声品質が低下するのを排除することができる。
【００３０】
図１（Ｃ）において、ＩＰ端末装置１Ｃは、ＶｏＩＰパケット受信手段１１と、ＶｏＩＰパケット蓄積手段１２と、パケット生成手段１３Ｃと、音声再生手段１４とからなる。ＶｏＩＰパケット受信手段１１は、音声信号データを含む順序番号情報付きのＶｏＩＰパケットを受信し、ＶｏＩＰパケット蓄積手段１２は、受信したＶｏＩＰパケットを所定数分を蓄積する。ＶｏＩＰパケット受信手段１１、ＶｏＩＰパケット蓄積手段１２、音声再生手段１４の構成は、図１（Ａ），（Ｂ）のものと同じである。
【００３１】
パケット生成手段１３Ｃは、（１）ＶｏＩＰパケット受信手段１１が、Ｎ番目のＶｏＩＰパケットを受信した場合において、Ｎ＋１番目のＶｏＩＰパケットを受信できないときは、Ｎ番目のＶｏＩＰパケットを基にＶｏＩＰパケットを生成し、この生成したＶｏＩＰパケットをＮ＋１番目のＶｏＩＰパケットの代わりに使用し、（２）ＶｏＩＰパケット受信手段１１が、Ｎ番目およびＮ＋２番目のＶｏＩＰパケットを受信した場合において、Ｎ＋１番目のＶｏＩＰパケットを受信できないときは、Ｎ＋２番目のＶｏＩＰパケットを基にＶｏＩＰパケットを生成し、この生成したＶｏＩＰパケットをＮ＋１番目のＶｏＩＰパケットの代わりに使用する。
【００３２】
これにより、ある期間でサンプリングされた音声データにかかるパケットが、消失（損失）しても、その直前直後のパケットを用いるので、音声品質が低下するのを排除することができる。
【００３３】
ＶｏＩＰパケット受信手段１１は、具体的には、図２および図３において後述するＣＰＵ１０１、ＲＯＭ１０２に格納されたプログラム（ＶｏＩＰパケット受信プログラム）、ＩＰパケット手段１０７および回線接続Ｉ／Ｆ手段１０８が対応する。ＶｏＩＰでは、呼制御はＳＩＰ（Ｓｅｓｓｉｏｎ Ｉｎｉｔｉａｔｉｏｎ Ｐｒｏｔｏｃｏｌ：セッション初期化プロトコル）により行うことができる。ＳＩＰは、マルチメディアセッションの確立、維持、終了を行うためのシグナリング制御プロトコルである。本発明では、電話番号情報は、ＳＩＰのメッセージヘッダー等に埋め込むことができる。
【００３４】
なお、本発明ではＨ．３２３、ＨＴＴＰや、他の独自のプロトコルにより本発明の実施は可能である。Ｈ．３２３は、ＩＴＵが制定した、ＩＰネットワーク上で音声や映像を通信するためのプロトコル体系であり、ＳＩＰと連動して動作することもできる。
【００３５】
ＶｏＩＰパケット蓄積手段１２は、具体的には、図２および図３において後述するＲＡＭ１０３に対応する。もちろん、ＶｏＩＰパケット蓄積手段１２ＲＡＭ１０３に限らず、磁気ディスク等の他の記憶手段を用いることもできる。
【００３６】
パケットリカバリー手段１３Ａは、具体的には、図２および図３において後述するＣＰＵ１０１およびＲＯＭ１０２に格納されたプログラム（パケットリカバリープログラム）が対応し、リカバリーパケット生成手段１３Ｂは、具体的には、ＣＰＵ１０１およびＲＯＭ１０２に格納されたプログラム（リカバリーパケット生成プログラム）が対応し、パケット生成手段１３Ｃは、具体的には、ＣＰＵ１０１およびＲＯＭ１０２に格納されたプログラム（パケット生成プログラム）が対応する。なお、本実施形態では、パケットリカバリー手段１３Ａ、リカバリーパケット生成手段１３Ｂ、パケット生成手段１３Ｃを、ＲＯＭ１０２に格納されたプログラムによりソフトウェアで実現したが、ＡＳＩＣ等によるハードウェアにより実現することもできる。
【００３７】
音声再生手段１４は、具体的には、図２および図３において後述するＣＰＵ１０１およびＲＯＭ１０２に格納されたプログラム（音声プログラム）、通話回路１０６が対応する。
【００３８】
図２は、本発明のＩＰ端末装置の具体的な一実施形態を示すＩＰ電話機１００のブロック図である。なお、本発明のＩＰ端末装置には、ＩＰ電話機の他、ＩＰプロトコルを扱うことができる他の装置（たとえば、インターネットファックス、ＩＰ端末、ＨＴＴＰ用端末）が含まれる。
【００３９】
図２において、ＣＰＵ１０１は、実行プログラムをＲＯＭ１０２から読み出し、その実行プログラムに含まれる命令を逐次解釈して装置全体の制御を行う。
【００４０】
ＲＯＭ１０２は、上述した実行プログラム等が格納されている。ＲＡＭ１０３には、制御に必要なワークエリアが形成されるともに、保存パラメータやそのほか制御に必要な種々のパラメータや管理情報等を記憶するものである。
【００４１】
操作入力・表示部１０４は、各種の操作キーと操作ガイダンス等を表示する表示器からなり、オペレータが装置を操作する。ハンドセット１０５は、音声通話をするいわゆる受話器であり、音声を出力するスピーカや音声を入力するマイク等から構成される。
【００４２】
通話回路１０６は、マイク等から入力された音声情報を、後述するＶｏＩＰ手段１０７２に送出し、ＶｏＩＰ手段１０７２から入力された音声情報をスピーカ等に出力する。また、音声情報を増幅したりあるいは減衰することにより音量を調整したり、音声情報の周波数特性を変化させることにより音質を良くしたりする回路も含まれているのが一般的である。また、送話器から受話器への音の回り込みを制御するいわゆる側音制御もこの部分で行うのが一般的である。
【００４３】
ＩＰパケット手段１０７は、制御ＩＰ手段１０７１とＶｏＩＰ手段１０７２とからなり、呼制御やその他の制御用のＩＰパケットを組立・分解を行う。ＶｏＩＰ手段１０７２は、通話回路から送られてきたアナログの音声情報をデジタルデータに変換し、さらに必要であれば符号化圧縮する。次に、音声情報データを送信用のＩＰパケットに埋め込み、順次回線接続Ｉ／Ｆ手段に送り出す。また、回線接続Ｉ／Ｆ手段から入力される受信用のＩＰパケットから音声情報データを取り出し、必要であれば復号伸張し、さらにデジタルの音声情報データをアナログの音声情報に変換し、通話回路に送出する。ＩＰパケット手段１０７は、制御ＩＰ手段１０７１やＶｏＩＰ手段１０７２の他に、制御用ＩＰパケットとＶｏＩＰパケットを回線接続Ｉ／Ｆ１０８に送り出す役目を果たす。
【００４４】
回線接続Ｉ／Ｆ１０８は、ＩＰパケット手段１０７から入力される送信用ＩＰパケットを通信回線５００に送出する一方、通信回線５００から入力される受信用パケットをＩＰパケット手段１０７に送出する。通信回線５００としてＮＴＴ等の通信事業者が供給している一般の電話網を使用する場合には、デジタル信号とアナログ信号を相互に変換する、ＸＤＳＬモデムが回線接続Ｉ／Ｆ１０８に含まれる。また、通信回線５００がＬＡＮ等であれば回線接続Ｉ／Ｆ１０８は、ＬＡＮ用のＩ／Ｆ（イーサネット、トークンリング、ＦＴＴＨ等）である。
【００４５】
図３は、本発明のＩＰ端末装置１の具他的な他の実施形態を示すＩＰアダプタのブロック図である。図３において、ＩＰアダプタ２は、ハンドセット１０５と通話回路１０６に代えて、アナログ電話Ｉ／Ｆ１０９がある以外は図２のＩＰ端末装置１と同じである。アナログ電話Ｉ／Ｆ１０９は、アナログ電話機と接続し音声情報の入出力を行う。
【００４６】
図４に、図１（Ａ）のＩＰ端末装置１が図２のＩＰ電話機１００として構成されるときの、当該ＩＰ電話機１００の処理をフローチャートにより示す。ＣＰＵ１０１はＲＯＭ１０２内のＶｏＩＰパケット受信プログラムを実行することで、ＩＰパケット手段１０７のＶｏＩＰ手段１０７１は、送信側が送出する音声信号データを含むＶｏＩＰパケット（以下単に「パケット」と言う）を順次受信する。
【００４７】
ＣＰＵ１０１はＲＯＭ１０２内のパケットリカバリープログラムを実行する。ＶｏＩＰ手段１０７１がＮ番目のパケットを受信し（Ｓ１００）、次にＮ＋１番目のパケットを受信したときは（Ｓ１１０の「ＹＥＳ」）、処理を終了する。
【００４８】
パケットリカバリープログラムは、ＶｏＩＰ手段１０７１がＮ番目のパケットを受信し（Ｓ１００）、次にＮ＋２番目のパケットを受信したときは（Ｓ１１０の「ＮＯ」かつＳ１２０の「ＹＥＳ」）、既に受信したパケットをＮ＋１番目のパケットとする（Ｓ１３０）。
【００４９】
なお、Ｎ番目のパケットを受信した時からある時間内にＮ＋１番目のパケットが受信できない場合に、既に受信したパケットをＮ＋１番目のパケットの代わりに使用することもできる。
【００５０】
図５に、図１（Ｂ）のＩＰ端末装置１が図２のＩＰ電話機１００として構成されるときの、当該ＩＰ電話機１００の処理をフローチャートにより示す。ＣＰＵ１０１はＲＯＭ１０２内のＶｏＩＰパケット受信プログラムを実行することで、ＩＰパケット手段１０７のＶｏＩＰ手段１０７１は、送信側が送出する音声信号データを含むパケットを順次受信する。
【００５１】
ＣＰＵ１０１はＲＯＭ１０２内のリカバリーパケット生成プログラムを実行する。ＶｏＩＰ手段１０７１がＮ番目のパケットを受信し（Ｓ２００）、次にＮ＋１番目のパケットを受信したときは（Ｓ２１０の「ＹＥＳ」）、処理を終了する。
【００５２】
パケットリカバリープログラムは、ＶｏＩＰ手段１０７１がＮ番目のパケットを受信し（Ｓ２００）、次にＮ＋２番目のパケットを受信したときは（Ｓ２１０の「ＮＯ」かつＳ２２０の「ＹＥＳ」）、Ｎ番目またはＮ＋２番目のパケットをＮ＋１番目のパケットとし（Ｓ２３０）処理を終了する。
【００５３】
なお、Ｎ番目のパケットを受信した時からある時間内にＮ＋１番目のパケットが受信できない場合に、Ｎ番目またはＮ＋２番目のパケットをＮ＋１番目のパケットの代わりに使用することもできる。
【００５４】
図６に、図１（Ｂ）のＩＰ端末装置１が図２のＩＰ電話機１００として構成されるときの、当該ＩＰ電話機１００の処理をフローチャートにより示す。ＣＰＵ１０１はＲＯＭ１０２内のＶｏＩＰパケット受信プログラムを実行することで、ＩＰパケット手段１０７のＶｏＩＰ手段１０７１は、送信側が送出する音声信号データを含むパケットを順次受信する。
【００５５】
ＣＰＵ１０１はＲＯＭ１０２内のパケット生成プログラムを実行する。ＶｏＩＰ手段１０７１がＮ番目のパケットを受信し（Ｓ３００）、次にＮ＋１番目のパケットを受信したときは（Ｓ３１０の「ＹＥＳ」）、処理を終了する。
【００５６】
パケットリカバリープログラムは、ＶｏＩＰ手段１０７１がＮ番目のパケットを受信し（Ｓ３００）、次にＮ＋２番目のパケットを受信したときは（Ｓ３１０の「ＮＯ」かつＳ３２０の「ＹＥＳ」）、Ｎ＋１番目のパケットを生成し（Ｓ３３０）処理を終了する。
【００５７】
なお、Ｎ番目のパケットを受信した時からある時間内にＮ＋１番目のＶｏＩＰパケットが受信できない場合に、Ｎ＋１番目のパケットを生成することもできる。
【図面の簡単な説明】
【００５８】
【図１】本発明のＩＰ端末装置の基本構成を示す図であり、（Ａ）はＶｏＩＰパケット受信手段とＶｏＩＰパケット蓄積手段とパケットリカバリー手段により構成されるＩＰ端末装置を示す図、（Ｂ）はＶｏＩＰパケット受信手段とＶｏＩＰパケット蓄積手段とリカバリーパケット生成手段により構成されるＩＰ端末装置を示す図、（Ｃ）はＶｏＩＰパケット受信手段とＶｏＩＰパケット蓄積手段とパケット生成手段により構成されるＩＰ端末装置を示す図である。
【図２】本発明のＩＰ通信端末の具体的な一実施形態を示すＩＰ電話機のブロック図である。
【図３】本発明のＩＰ通信端末の他の実施形態を示すＩＰアダプタのブロック図である。
【図４】図１（Ａ）のＩＰ端末装置が図２のＩＰ電話機として構成されるときの、当該ＩＰ電話機の処理を示すフローチャートである。
【図５】図１（Ｂ）のＩＰ端末装置が図２のＩＰ電話機として構成されるときの、当該ＩＰ電話機の処理を示すフローチャートである。
【図６】図１（Ｃ）のＩＰ端末装置が図２のＩＰ電話機として構成されるときの、当該ＩＰ電話機の処理を示すフローチャートである。
【符号の説明】
【００５９】
１Ａ，１Ｂ，１Ｃ  ＩＰ端末装置
１１  ＶｏＩＰパケット受信手段
１２  ＶｏＩＰパケット蓄積手段
１３Ａ，１３Ｂ，１３Ｃ パケットリカバリー手段
１４  音声再生手段
１００  ＩＰ電話機
１０１  ＣＰＵ
１０２  ＲＯＭ
１０３  ＲＡＭ
１０４  操作入力・表示部
１０５  ハンドセット
１０６  通話回路
１０７１  制御ＩＰ手段
１０７２  ＶｏＩＰ手段
１０８  回線接続Ｉ／Ｆ
【図１】
2008048435.tif 000003
【図２】
2008048435.tif 000004
【図３】
2008048435.tif 000005
【図４】
2008048435.tif 000006
【図５】
2008048435.tif 000007
【図６】
2008048435.tif 000008